【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
送信機によるワイヤレス通信のための方法であって、
アップリンク制御情報(UCI)の少なくとも一部分を送信するために、送信時間間隔(TTI)内に1つまたは2つのシンボルのアップリンクショートバースト(ULSB)領域内のリソースを識別するステップであって、
前記UCIは、1つのスケジューリング要求(SR)ビット、およびダウンリンク送信に肯定応答または否定応答するための1つまたは複数の確認応答(ACK)ビットのうちの少なくとも1つを含み、
前記SRビットおよび前記1つまたは複数のACKビットが、周波数分割多重化(FDM)を使用して同じシンボル内で送信される、ステップと、
前記識別されたリソースを使用して前記UCIを送信するステップと
を含む、方法。
【請求項２】
前記識別するステップが、
前記SRビットおよび前記1つまたは複数のACKビットを送信するために前記ULSB領域内の第1のリソースブロック(RB)を識別するステップ、または
前記1つまたは複数のACKビットなしに前記SRビットを送信するために第2のRBを識別するステップ
を含む、請求項1に記載の方法。
【請求項３】
前記第1のRBが、前記SRビットの値に基づいて識別され、
前記SRビットの前記値が、負または正のSRに対応する、請求項2に記載の方法。
【請求項４】
前記第1のリソースブロック(RB)を前記識別するステップが、
前記第1のRBを使用して、前記1つまたは複数のACKビットのうちの1つのACKビットおよび第1の値を有する前記SRビットを伝達するために使用するための2つのビットシーケンスの少なくとも1つの第1のセットを識別するステップと、
前記第1のRBを使用して、前記1つまたは複数のACKビットのうちの前記1つのACKビットおよび第2の値を有する前記SRビットを伝達するために使用するための2つのビットシーケンスの少なくとも1つの第2のセットを識別するステップと
をさらに含み、または
前記第1のリソースブロック(RB)を前記識別するステップが、
前記第1のRBを使用して、前記1つまたは複数のACKビットのうちの2つのACKビットおよび第1の値を有する前記SRビットを伝達するために使用するための4つのビットシーケンスの少なくとも1つの第1のセットを識別するステップと、
前記第1のRBを使用して、前記1つまたは複数のACKビットのうちの前記2つのACKビットおよび第2の値を有する前記SRビットを伝達するために使用するための4つのビットシーケンスの少なくとも1つの第2のセットを識別するステップと
をさらに含み、または
前記第2のRBが、送信されるべきACKビットがないときに識別され、前記SRビットの値が正のSRに対するものである、請求項2に記載の方法。
【請求項５】
前記識別するステップが、
前記SRビットの送信用に半静的に構成された前記ULSB領域内の第1のシンボルを識別するステップと、
前記1つまたは複数のACKビットのうちの少なくとも1つのACKビットの送信用に前記第1のシンボルを使用するステップと
を含み、
前記方法が、
前記SRビットの送信用に第2のシンボルを使用するステップをさらに含み、前記第2のシンボルは、前記ULSB領域、前記TTIのアップリンクロングバースト(ULLB)領域、または後続のTTIのうちの1つに位置する、請求項1に記載の方法。
【請求項６】
前記識別するステップが、
前記SRビットが第1の値である場合、前記SRビットを送信するために前記ULSB領域内の第1のリソースブロック(RB)を識別するステップ、または
前記SRビットが第2の値である場合、前記SRビットを送信するために前記ULSB領域内の第2のRBを識別するステップ
を含む、請求項1に記載の方法。
【請求項７】
前記SRビットの前記第1の値が正のSRに対するものであり、前記SRビットの前記第2の値が負のSRに対するものである、請求項6に記載の方法。
【請求項８】
前記識別するステップが、
前記第1のRBまたは前記第2のRBを使用して前記SRビットを送信するとき、少なくとも2つのACKビットを伝達するために使用するための少なくとも4つのビットシーケンスを識別するステップを含む、請求項6に記載の方法。
【請求項９】
前記識別するステップが、前記第1の値である前記SRビットに対する前記第1のRBを使用してACKビットなしに前記SRビットを送信するために前記4つのビットシーケンスのうちの少なくとも1つを識別するステップをさらに含む、請求項8に記載の方法。
【請求項１０】
前記識別するステップが、
ACKビットなしに前記SRビットを送信するために1つのRB内で1つのビットシーケンスを識別するステップを含むか、または
前記1つまたは複数のACKビットのうちの少なくとも2つのACKビットとともに前記SRビットを送信するために少なくとも2つのRBを識別するステップと、
前記少なくとも2つのRBのうちの1つを使用して前記SRビットを送信するとき、前記1つまたは複数のACKビットのうちの前記少なくとも2つのACKビットを伝達するために使用するための少なくとも4つのビットシーケンスを識別するステップと
を含む、請求項6に記載の方法。
【請求項１１】
前記SRビットおよび前記1つまたは複数のACKビットが、隣接するRB内で送信され、または
前記SRビットと前記1つまたは複数のACKビットとの間で電力を分割するステップをさらに含み、または
前記SRビットおよび前記1つまたは複数のACKビットは、電力ヘッドルーム(PHR)がしきい値より高い場合にのみ、FDMを使用して前記同じシンボル内で送信され、または
前記SRビットおよび前記1つまたは複数のACKビットは、電力ヘッドルーム(PHR)がしきい値より低い場合に、単一ビットにバンドルされた前記1つまたは複数のACKビットを有するACKリソース内の前記同じシンボルで送信される、請求項1に記載の方法。
【請求項１２】
前記識別するステップが、
前記1つまたは複数のACKビットのうちの第1のACKビットに対して使用される前記ULSB領域内の第1のリソースブロック(RB)を、前記第1のACKビットが第1の値である場合、識別するステップ、または
前記第1のACKビットが第2の値である場合、前記第1のACKビットに対して使用される前記ULSB領域内の第2のRBを識別するステップを含み、
前記識別するステップが、
前記第1のRBまたは前記第2のRBを使用してSRを送信するとき、前記1つまたは複数のACKビットのうちの少なくとも2つのACKビットを伝達するために使用するための少なくとも4つのビットシーケンスを識別するステップを含み、または
前記識別するステップが、
ACKビットなしに前記SRビットを送信するために1つのRBを識別するステップ、または
前記1つまたは複数のACKビットのうちの少なくとも前記第1のACKビットとともに前記SRビットを送信するために少なくとも2つのRBを識別するステップ
を含む、請求項1に記載の方法。
【請求項１３】
アップリンク制御情報(UCI)の少なくとも一部分を送信するために、送信時間間隔(TTI)内に1つまたは2つのシンボルのアップリンクショートバースト(ULSB)領域内のリソースを識別するための手段であって、
前記UCIは、1つのスケジューリング要求(SR)ビット、およびダウンリンク送信に肯定応答または否定応答するための1つまたは複数の確認応答(ACK)ビットのうちの少なくとも1つを含み、
前記SRビットおよび前記1つまたは複数のACKビットが、周波数分割多重化(FDM)を使用して同じシンボル内で送信される、手段と、
前記識別されたリソースを使用して前記UCIを送信するための手段と
を含む、装置。
【請求項１４】
請求項1乃至12のいずれか1項に記載の方法を実行するように構成される、請求項13に記載の装置。
【請求項１５】
コンピュータにより実行されると、前記コンピュータに、請求項1乃至12のいずれか1項に記載の方法を実行させるコードを含むコンピュータプログラム。